(57)【要約】【課題】装置本体部に対して蓋部をスライドさせて開閉する携帯情報端末装置において、レール部とレールガイド部をガタなく精度良く組み立てる。【解決手段】携帯情報端末装置１は、装置本体部２と、装置本体部２の第１の主面側を覆う第１の位置と該第１の主面を露出させる第２の位置の間で移動可能な蓋部３と、蓋部３を装置本体部２に対して前記第１の位置と第２の位置の間でスライド移動可能に取り付けているスライド機構４と、を備えている。スライド機構４は、装置本体部２又は蓋部３の一方に設けられているレール部５１，５２と、他方に設けられて前記レール部が係合するレールガイド部５３，５４と、で構成されている。前記レール部は、金属板製の第１のベースプレートの両側部に樹脂でアウトサート成形することにより形成され、前記レールガイド部は、金属板製の第２のベースプレートにリベットにより取付けることにより形成されている。【選択図】図７
2007180667.tif 000002
【特許請求の範囲】
【請求項１】
装置本体部と、該装置本体部の第１の主面を覆う第１の位置と該第１の主面を露出させる第２の位置の間で移動可能な蓋部と、該蓋部を前記装置本体部に対して前記第１の位置と第２の位置の間でスライド移動可能に取り付けているスライド機構と、を備え、
前記スライド機構は、前記装置本体部と蓋部の一方に設けられているレール部と、他方に設けられて前記レール部が係合するレールガイド部と、を備え、
前記レール部は、金属板製の第１のベースプレートの両側部に樹脂によりアウトサート成形され、
前記レールガイド部は、金属板製の第２のベースプレートにリベットにより取付けられていることを特徴とする携帯情報端末装置。
【請求項２】
前記第１のベースプレート及び／又は第２のベースプレートは、エンボス加工による凹部を備えていて、該凹部内に搭載部品の一部が収納されていることを特徴とする携帯情報端末装置。
【請求項３】
前記レールガイド部は、前記第２のベースプレート上に取付けられる被固定部と、該被固定部の一端部を略直角に折り曲げることにより形成されていて前記レール部のスライド方向を規制するガイド面と、該ガイド面の一端部を略直角に折り曲げることにより形成されて前記レール部の上面を抑える浮上り防止面と、を備えたことを特徴とする請求項１に記載の携帯情報端末装置。
【請求項４】
前記リベットは、頭部と、該頭部の一端部に連続する小径部と、を備え、
前記頭部は、前記被固定部に設けられたリベット受け孔よりも大径に形成され、前記小径部は、前記被固定部に設けられたリベット受け孔と略同径で、かつ前記第２のベースプレートに設けたリベット受け孔に対して所定の遊び間隙をもって挿入される太さに形成されていることを特徴とする請求項３に記載の携帯情報端末装置。
【請求項５】
前記リベットは、下端部を前記被固定部および前記第２のベースプレートに設けたリベット受け孔に挿入して、該リベットの下端部の先端をカシメて拡径させることにより前記被固定部を前記第２のベースプレート上に取付けていることを特徴とする請求項３に記載の携帯情報端末装置。
【請求項６】
前記第２のベースプレートに設けたリベット受け孔は、前記リベットの先端のカシメて拡径させた部分が侵入する回り止め用の溝部を内周面に備えていることを特徴とする請求項４に記載の携帯情報端末装置。
【請求項７】
前記装置本体部と蓋部は、略矩形状に形成されていて、前記蓋部は、前記装置本体部の長辺と略直交する方向にスライド可能に取付けられていることを特徴とする請求項１に記載の携帯情報端末装置。
【請求項８】
前記装置本体部は、前記蓋部で覆われる第１の主面にキーボードを備えていることを特徴とする請求項１に記載の携帯情報端末装置。
【請求項９】
携帯情報端末装置の装置本体部に対して蓋部を前記装置本体部の第１の主面を覆う第１の位置と該第１の主面を露出させる第２の位置の間でスライド移動可能に取り付けるスライド機構であって、
前記スライド機構は、前記装置本体部と蓋部の一方に設けられているレール部と、他方に設けられて前記レール部が係合するレールガイド部と、を備え、
前記レール部は、金属板製の第１のベースプレートの両側部に樹脂によりアウトサート成形され、
前記レールガイド部は、金属板製の第２のベースプレートにリベットにより取付けられていることを特徴とする携帯情報端末装置のスライド機構。
【発明の詳細な説明】
【技術分野】
【０００１】
本発明は、情報の授受は勿論のことミュージックプレーヤ等としても使用することのできる携帯情報端末装置および該携帯情報端末装置において装置本体部に対して蓋部をスライド可能に取付けるスライド機構に関するものである。
【背景技術】
【０００２】
蓋部を備えた携帯情報端末装置としては、装置本体部に対して蓋部を回動させて開閉する回動方式のものと、装置本体部に対して蓋部をスライドさせて開閉するスライド方式のものが知られている。
【０００３】
回動方式の携帯情報端末装置は、装置本体部に蓋部をヒンジにより回動可能に取付けている。（例えば特許文献１）。一方、スライド方式の携帯情報端末装置は、レール部とレールガイド部を使用して装置本体部に蓋部をスライド可能に取付けている。（例えば特許文献２）。  
【特許文献１】特開２００４−２８７３０５号公報
【特許文献２】特開２００３−３２３３５号公報
【発明の開示】
【発明が解決しようとする課題】
【０００４】
回動方式は、図３９に示すように、装置本体部３０１に蓋部３０２をヒンジ３０３で回動可能に取付けるので、装置本体部３０１に対する蓋部３０２の取付け部のスペースを小さくすることができる。これに対して、スライド方式は、図４０に示すように、装置本体部３０１に蓋部３０２をレール部３０４とレールガイド部３０５でスライド可能に取付けるものであって、レール部３０４とレールガイド部３０５の間には製造誤差や組付誤差等によって隙間δが発生する。この隙間δが大きすぎると所謂ガタツキの原因になる。特に、図４１に示すように、装置本体部３０１の長手方向に蓋部３０２を引き出す場合は、前記レール部３０４とレールガイド部３０５のラップ量Ｒ（具体的にはレール部３０４の長さ）を大きくすることによって前記装置本体部３０１から引き出した蓋部３０２の先端部３０２ａの振れを最小限に抑制することが可能であるが、図４２に示すように、装置本体部３０１の短手方向に蓋部３０２を引き出す場合には、前記ラップ量Ｒを大きくすることが困難である。このため装置本体部３０１の短手方向に蓋部３０２を引き出す場合においては、レール部３０４とレールガイド部３０５の間の隙間δをより少なくすることが要求される。
【０００５】
本願発明の目的は、上記従来の問題点を解決し、レール部とレールガイド部をガタなく精度良く組み立てて、携帯情報端末装置の装置本体部に対して蓋部を円滑にスライドさせることのできるスライド機構および該スライド機構を使用した携帯情報端末装置を提供することにある。
【０００６】
また、本願発明の他の目的は、携帯情報端末装置の薄肉化、軽量化を図るため、装置本体部に対して蓋部をスライド可能に取付けるスライド機構に薄い金属板を使用した場合でも十分な機械的強度を保つことのできるスライド機構および携帯情報端末装置を提供することにある。
【課題を解決するための手段】
【０００７】
本発明は、装置本体部と、該装置本体部の第１の主面を覆う第１の位置と該第１の主面を露出させる第２の位置の間で移動可能な蓋部と、該蓋部を前記装置本体部に対して前記第１の位置と第２の位置の間でスライド移動可能に取り付けているスライド機構と、を備え、前記スライド機構を、前記装置本体部と蓋部の一方に設けられているレール部と、他方に設けられて前記レール部が係合するレールガイド部と、で構成した携帯情報端末装置において、前記レール部を、金属板製の第１のベースプレートの両側部に樹脂でアウトサート成形することにより形成し、前記レールガイド部を、金属板製の第２のベースプレートにリベットにより取付けることにより形成した。特に、前記第１のベースプレート及び／又は第２のベースプレートに、エンボス加工による凹，凸部を形成して、前記ベースプレートの機械的強度を補強すると共に、前記凹，凸部内に部品の一部を収納可能にした。
【０００８】
前記レールガイド部を、前記第２のベースプレート上に取付けられる被固定部と、該被固定部の一端部を略直角に折り曲げることにより形成されていて前記レール部のスライド方向を規制するガイド面と、該ガイド面の一端部を略直角に折り曲げることにより形成されて前記レール部の上面を抑える浮上り防止面と、で構成した。
【０００９】
前記リベットを、頭部と、該頭部の一端部に連続する小径部と、で構成し、前記頭部を、前記被固定部に設けられたリベット受け孔よりも大径に形成し、前記小径部を、前記被固定部に設けられたリベット受け孔と略同径で、かつ前記第２のベースプレートに設けたリベット受け孔に対しては所定の遊び間隙をもって挿入される太さ（直径）に形成した。
【００１０】
前記リベットの下端部を前記被固定部および前記第２のベースプレートに設けたリベット受け孔に挿入して、該リベットの下端部の先端をカシメて拡径させることにより前記被固定部を前記第２のベースプレート上に取付けた。
【００１１】
前記第２のベースプレートに設けたリベット受け孔の内周面に、前記リベットの先端のカシメて拡径させた部分が侵入する回り止め用の溝部を設けた。
【００１２】
前記装置本体部と蓋部を、略矩形状に形成し、前記蓋部を、前記装置本体部の長辺と略直交する方向にスライド可能に取付けた。
【００１３】
前記装置本体部の第１の主面にキーボードを設けた。
【発明の効果】
【００１４】
本発明の携帯情報端末装置およびスライド機構は、前記レール部を、金属板製の第１のベースプレートの両側部に樹脂でアウトサート成形することにより形成したので、レール部をベースプレートの両側部に組付けるものに較べて、組み付け誤差の発生を防止し、レール部とレールガイド部との間のガタの発生を抑制し、レール部をレールガイド部に対して円滑にスライドさせることができる。
【発明を実施するための最良の形態】
【００１５】
以下、本発明の携帯情報端末装置を、（１）携帯情報端末装置全体の概略構成、（２）装置本体部の概略構成、（３）蓋部の概略構成、（４）スライド機構の構成、（５）電池収納部および電池誤挿入防止機構の構成、（６）付属機器としてのクレードルの構成、の順で説明する。
（１）携帯情報端末装置全体の概略構成、
図１は蓋部を閉じた状態の携帯情報端末装置の正面図、図２は蓋部を閉じた状態の携帯情報端末装置の背面図、図３は蓋部を開いた状態の携帯情報端末装置の正面図、図４は蓋部を開いた状態の携帯情報端末装置の背面図、図５は電池カバーを取り外した状態の背面図、図６Ａは図１の右側面図、図６Ｂは図１の左側面図、図６Ｃは図１の下側面図、図６Ｄは図１の上側面図である。
【００１６】
携帯情報端末装置１は、スカイプ等のコミュミケーション手段として情報の授受やミュージックプレーヤとして音楽を聴く場合等に使用される。
【００１７】
携帯情報端末装置１は、装置本体部２と、該装置本体部２の第１の主面２ａ（図３参照）を覆う第１の位置と該第１の主面２ａを露出させる第２の位置の間で移動可能な蓋部３と、該蓋部３を前記装置本体部２に対して前記第１の位置と第２の位置の間でスライド移動可能に取り付けているスライド機構４（図４参照）と、を備えている。
【００１８】
前記装置本体部２の第１の主面（上面）２ａには図３に示すようにキーボード５が設けられている。また、前記装置本体部２の第２の主面（下面）２ｂには図５に示すように電池収容部６が開口し、該電池収容部６は取り外し可能な電池蓋７で開閉される。
【００１９】
前記装置本体部２の長手方向の一方の側部２ｃと他方の側部２ｄは、円弧状に形成されていて、前記一方の側部２ｃには、円弧面に沿ってスライドするラン（ＷＬＡＮ）・ＯＮ／ＯＦＦ・スイッチ８と、電源ＯＮ／ＯＦＦ・スイッチ９が設けられていると共に、これらラン（ＷＬＡＮ）・ＯＮ／ＯＦＦ・スイッチ８と電源ＯＮ／ＯＦＦ・スイッチ９の間には第１の導光管１０が設けられている。前記第１の導光管１０は、ランＯＮ時に緑色に点灯し、電源ＯＮ時にはオレンジ色に点灯する。
【００２０】
また、前記装置本体部２の上面側の中央部にはＵＳＢ端子１２と、ＨＰ／ＭＩＣジャック１３が設けられ、前記装置本体部２の下面側の中央部には音楽の再生、ＦＦ、ＲＥＷ等に用いるＭｕｓｉｃキー１４が設けられている。ＵＳＢ端子１２を装置本体部２の上面側に配置したのは、ＵＳＢ端子１２にコネクタを接続した場合でも携帯情報端末装置１の使用に支障を来さないようにするためである。
【００２１】
前記蓋部３の第１の主面（上面）３ａの中央部には液晶や有機ＥＬ等からなる矩形状の表示体（ディスプレー）１５が設けられ、該表示体１５の四隅部の外側には第１〜第４のボタン１６〜１９が設けられている。第１のボタン１６はＷＬＡＮ  Ａｄｈｏｃ／Ｉｎｆｒａ切替ボタンとしてランモードの切替えを行ない、第２のボタン１７はＨＯＭＥボタンとして画面をホームメニューに戻す。また、第３のボタン１８はオプションボタンとしてコンテキストメニューの表示を行ない、第４のボタン１９はＢＡＣＫボタンとして表示体１５に表示されている画面を一つ前に戻す。
【００２２】
前記第１のボタン１６と第２のボタン１７の間にはスピーカー２０が設けられ、前記第３のボタン１８と第４のボタン１９の間には決定ボタン２１と、該決定ボタン２１を囲むようにしてリング状の４方向キー２２が設けられている。前記決定ボタン２１はフォーカスの当たっているＧＵＩ要素の決定を行ない、４方向キー２２はＧＵＩフォーカスの上下左右への移動を行なう。前記４方向キー２２の外側にはＭＩＣ（マイク）２３が配置されている。また、前記装置本体部２の他方の側部２ｄは、円弧状面に沿って第２の導光管２４が設けられている。前記第２の導光管２４は、ラン・インフラクチャモードにおいては青色に点灯し、ランアドホックモードにおいてはオレンジ色に点灯し、ＳＫＹＰＥ  ＣａＩＩ時においては青色等に点滅する。そして、前記キーボードおよび各種のボタンを使用して所望の操作、作業を行なう。なお、上記実施の形態においては、携帯情報端末装置として、コミュニケーション手段やミュージックプレーヤ等の機能を有するものを例にとって説明したが、携帯電話機等のものであっても良く、その機能や性能は問わない。
（２）装置本体部の概略構成、
図７に示すように、装置本体部２は、下側シェル（下側ケース）２６と、上側シェル（上側ケース）２７とで筐体が形成されている。前記下側シェル２６の下面である装置本体部２の第２の主面２ｂ側には前記電池収容部６が設けられていて、該電池収容部６に電池２８が収容される。前記電池収容部６は、電池２８を収納した後に電池蓋７で閉じられる。前記電池収容部６の底面は、シールド板３１を取付けることにより形成されている。
【００２３】
前記下側シェル２６の上面側にはＤＣジャック３０等の部品や前記シールド板３１、メインのプリント基板３２が取付けられる。また、前記下側シェル２６の一方の円弧状の周縁部には前記ラン（ＷＬＡＮ）・ＯＮ／ＯＦＦ・スイッチ８と電源ＯＮ／ＯＦＦ・スイッチ９および第１の導光管１０が取付けられ、他方の円弧状の周縁部には第２の導光管２４が取付けられる。
【００２４】
図８に示すように、前記第１，第２の導光管１０，２４は、透明ＰＣ（ポリカーボネート）によって前記上側シェル２７の円弧状の周縁部の曲率に沿う緩やかな円弧状に形成されている。図９の断面図に示すように、前記第１，第２の導光管１０，２４の外面は、フラットな主面１０ａ，２４ａと、該主面１０ａ，２４ａの上下端に連続する傾斜面１０ｂ，２４ｂになっていて、矢印Ａで示す真横方向からだけでなく、矢印Ｂ、Ｃで示す斜め上方或いは斜め下方からでも導光管１０，２４が光っていることを視認し易いようになっている。前記第１，第２の導光管１０，２４の内側には、白色の反射部材２５が配置されて反射効率を上げている。また、図８に示すように、前記第１，第２の導光管１０，２４の端部にはＬＥＤ３５が配置されていて、該ＬＥＤ３５の発する光を効率よく前記第１，第２の導光管１０，２４に導入することが可能になっている。前記第１，第２の導光管１０，２４および反射部材２５は、超音波溶着により前記上側シェル２７の円弧状の周縁部２７ａに取付けられている。そして、前記上側シェル２６および上側シェル２７に所定の部品を組付けた後に前記下側シェル２６に上側シェル２７がネジ３３等で取り付けられる。（図７参照）
前記上側シェル２６の上面側、即ち装置本体部２の第１の主面２ａ側には前述したようにキーボード５が配置されている。前記キーボード５の上側部には後に説明するスライド機構４を構成するレールガイド部５３，５４の第２のベースプレート５６を取付けるためのレールガイド取付け凹部３４が設けられている。
（３）蓋部の概略構成、
図７に示すように、前記蓋部３は、伏皿状に形成されていて下面側が開口しているアッパケース（蓋本体部）４１と、該アッパケース４１の下面側開口の両側部を塞ぐ一対の略半円形状のボトムケース４２，４３と、を備えている。
【００２５】
前記アッパケース４１は、上面側に前記表示体１５の表示部１５ａが臨む表示窓４１ａや前記第１〜第４のボタン１６〜１９等が臨む複数の孔４１ｂを備えている。そして、前記下面側開口から前記表示体１５および前記第１〜第４のボタン１６〜１９等を搭載したプリント基板４４等を挿入した後に前記一対のボトムケース４２，４３を前記プリント基板４４と共にアッパケース４１側に複数のネジ４５で共締めして前記アッパケース４１の下面側開口の両側部を塞ぐことにより前記蓋部３が形成される。
【００２６】
前記プリント基板４４の上面側には前記表示体１５に接続する第１のフレキシブルハーネス４６が配置されていると共に、前記プリント基板４４の下面側には前記装置本体部２のプリント基板３２に接続する第２のフレキシブルハーネス４７が配置されている。前記一対のボトムケース４２，４３の間には、次に説明するスライド機構４のレール部５１，５２の第１のベースプレート５５が取付けられる。
（４）スライド機構の構成、
スライド機構４は、前述したように、前記装置本体部２に対して前記蓋部３を装置本体部２の第１の主面２ａに設けたキーボード５を覆う第１の位置（図１参照）と、キーボード５を露出させる第２の位置（図３参照）の間で移動可能に取付けるものである。前記スライド機構４は、図７に示すように前記蓋部３側に取付けられる左右一対のレール部５１，５２と、前記装置本体部２側に取付けられる左右一対のレールガイド部５３，５４と、を備えている。
【００２７】
図１０に拡大して示すように、前記レール部５１，５２は、第１のベースプレート５５の一側部と他側部に樹脂によりアウトサート成形されている。また、前記レールガイド部５３，５４は、第２のベースプレート５６にリベット５７により取付けられている。
【００２８】
前記第１のベースプレート５５は、ＳＡＳ（ステンレススチール）等の金属製の薄板によって略四角形状に形成されていて、一対の側辺５５ａ，５５ｂに前記レール部５１，５２がアウトサート成形されている。前記レール部５１，５２は、略左右対称に形成されている。前記第１のベースプレート５５は、折曲強度等の機械的強度を向上させるために、所謂エンボス加工（絞り加工）を施すことにより凹部５９と凸部（膨出部）６０が設けられている。前記凹部５９には前記プリント基板４４の下面に搭載した電子部品の一部が収容される。また、前記凸部（膨出部）６０内にはトグルバネ５８が配置される。
【００２９】
前記レールガイド部５３，５４は、前記第２のベースプレート５６上に取付けられる被固定部６１と、該被固定部６１の一端部を略直角に折り曲げることにより形成されていて前記レール部５１，５２のスライド方向を規定する第１のガイド面６２と、該第１のガイド面６２の一端部を略直角に折り曲げることにより形成されて前記レール部５１の上面を抑える浮上り防止面６３と、該浮上り防止面６３の一端部を略直角に折り曲げることにより形成された第２のガイド面６４と、を備えていて、前記被固定部６１が、リベット５７により前記第２のベースプレート５６上に取付けられている。前記レールガイド部５３，５４は、略左右対称に形成されている。また、前記第２のベースプレート５６にもエンボス加工が施されていて、凹部５９と凸部（膨出部）６０が設けられている。
【００３０】
前記リベット５７は、頭部（大径部）６５と、該頭部６５の一端部に連続する小径部６６と、を備え、軸心部に貫通孔６７を有する円筒状に形成されている。前記頭部６５は、前記被固定部６１に設けた第１のリベット受け孔６８よりも大径に形成されている。前記小径部６６は、前記第１のリベット受け孔６８と略同径（やや大径）で、かつ前記第２のベースプレート５６に設けた第２のリベット受け孔６９に対して所定の遊び間隙をもって挿入される太さ（直径）に形成されている。前記第２のリベット受け孔６９の内周面には軸方向に溝部７０が形成されている。
【００３１】
図１１，図１２に示すように、前記リベット５７の下端側の小径部６６を前記被固定部６１に設けた第１のリベット受け孔６８および前記第２のベースプレート５６に設けた第２のリベット受け孔６９に挿入して、該小径部６６の下端を前記第２のベースプレート５６の下面から突出させた後に、前記貫通孔６７にカシメ機構のカシメ部材（図示省略）を挿入し、該カシメ部材で前記小径部６６の下端をカシメて拡径部７１を形成することにより、前記第２のベースプレート５６上に前記一対のレールガイド部５３，５４を取付ける。
【００３２】
前記リベット５７の先端部をカシメる前に、前記小径部６６と第２のリベット受け孔６９の間に存在する所定の遊び間隙δ１を利用して前記レール部５１，５２とレールガイド部５３，５４の間の隙間δ２を微調整することにより、レール部５１，５２をレールガイド部５３，５４に対してガタツキをなくし円滑にスライドさせることができる。前記リベット５７をカシメて拡径させると拡径部７１の一部が前記第２のリベット受け孔６９の内周面に設けた溝部７０内に侵入してリベット５７の回転を阻止する。
【００３３】
そして、図１３に示すように、前記一対のレールガイド部５３，５４の長さ方向の一端部５３ａ，５４ａ側から前記一対のレール部５１，５２を挿入することにより、図１４に示すように、前記第１のベースプレート５５と第２のベースプレート５６が重なり合って両者が相対移動可能に組み付けられる。なお、図１５に示すように、前記レール部５１，５２の前記レールガイド部５２内に挿入する挿入側の端部５１ａ，５２ａと反対側の端部５１ｂ，５２ｂ側には、前記レール部５１，５２が前記レールガイド部５３，５４から突出する方向にスライドしたときに、これらレールガイド部５３，５４の一端部５３ｂ，５４ｂが当接して前記レール部５１，５２の更なるスライドを阻止する第１のストッパ７２が前記第１のベースプレート５５の一部を折り曲げることにより形成されている。また、図１５に２点鎖線で示すと共に、図４に実線で示すように、前記蓋部３の底面の前記一対の略半円形状のボトムケース４２，４３の内側には長溝７６が設けられていて、該長溝７６には前記リベット５７の頭部６５が挿入されている。前記長溝７６の長さ方向の一端側の端部７６ａは、蓋部３を開いたときに前記リベット５７の頭部６５が当接して、蓋部３を開いた状態に維持するストッパとして機能する。
【００３４】
図１４に示すように、前記第１のベースプレート５５と第２のベースプレート５６の間には蓋部３を閉じた状態或いは開いた状態に維持する一対のトグルバネ５８が介在されている。前記トグルバネ５８は、中央のコイル部５８ａと、該コイル部５８ａの一端側から延びる第１のアーム部５８ｂと、前記コイル部５８ａの他端側から延びる第２のアーム部５８ｃと、を備えた所謂捻りトーションバネ状に形成されている。前記トグルバネ５８は、第１のアーム部５８ｂの先端部が第１のベースプレート５５に係止され、第２のアーム部５８ｃの先端部が第２のベースプレート５６に係止されている。
【００３５】
図４に示すように、前記レール部５１，５２は、前記第１のベースプレート５５を介して前記蓋部３の一対のボトムケース４２，４３の間にネジ７３等により取付けられる。このとき前記第１のベースプレート５５に設けた凹部５９内に前記プリント基板４４に搭載されている電子部品の一部を挿入することにより装置の薄肉化を図っている。
【００３６】
一方、前記レールガイド部５３，５４は、図１６に示すように、第２のベースプレート５６を介して前記装置本体部２の第１の主面２ａに設けたレールガイド取付け凹部３４の上面にネジ７４で取付けられる。上記ネジ７４は、前記リベット５７の貫通孔６７の内周面に設けたネジ溝７５に螺合される。
【００３７】
次に、前記スライド機構４の作用について説明する。図１７に示すように、蓋部３を閉じた状態にすると、前記トグルバネ５８の付勢力Ｆによって前記リベット５７の外周面を前記蓋部３側に設けた前記長溝７６の一端側の端部７６ａに押し付けて、蓋部３を閉じた状態に維持する。この状態から前記蓋部３を開方向にスライドさせると、前記トグルバネ５８は変位して行く。そして、図１８に示すトグルバネ５８のバネ力Ｆが専ら蓋部３のスライド方向と略直交する方向に作用する中立点を超えると、前記トグルバネ５８バネ力Ｆの付勢方向は逆転し、図１９に示すように、前記レール部５１，５２の一端部に設けた前記第１のストッパ７２をレールガイド部５３，５４の一端部に押し付けて蓋部３を開いた状態に維持するのである。
【００３８】
上記実施の形態のスライド機構は上述のような構成であって、前記第１のベースプレート及び／又は第１のベースプレートにエンボス加工を施すことにより凹，凸部を形成したので前記ベースプレートの機械的強度を高めることができるので、前記ベースプレートに使用する金属板を薄くして軽量化を図ることができる。また、前記凹，凸部内に部品の一部を収納することにより携帯情報端末装置全体の薄肉化を図ることができる。
【００３９】
前記レールガイド部を、前記第２のベースプレート上に取付けられる被固定部と、該被固定部の一端部を略直角に折り曲げることにより形成されていて前記滑り部のスライド方向を規制するガイド面と、該ガイド面の一端部を略直角に折り曲げることにより形成されて前記レール部の上面を抑える浮上り防止面と、で構成したので、前記ガイド面によって、レール部のスライド方向を規定し、前記浮上り防止面によって前記レール部が前記第２のベースプレート上から浮上るのを防止して、前記レール部を円滑にスライドさせることができる。
【００４０】
前記リベットを、頭部と、該頭部の一端部に連続する小径部と、で構成し、前記頭部を、前記被固定部に設けられたリベット受け孔よりも大径に形成し、前記小径部を、前記被固定部に設けられたリベット受け孔と略同径で、かつ前記第２のベースプレートに設けたリベット受け孔に対して所定の遊び間隙をもって挿入される太さ（直径）に形成したので、上記遊び間隙を利用して、前記第２のベースプレートに対するレールガイド部の位置決め調整を行なうことが可能になる。
【００４１】
前記リベットの下端部を前記被固定部および前記第２のベースプレートに設けたリベット受け孔に挿入して、該リベットの下端部の先端をカシメて拡径させるという簡単な手段で前記被固定部を前記第２のベースプレート上に容易に位置決め固定することができる。
【００４２】
前記リベットの下端部の先端をカシメて拡径させる際に、拡径させた部分の一部が前記第２のベースプレートに設けたリベット受け孔の内周面に設けた回り止め用の溝部内に侵入して、前記リベットの回転を阻止する。
【００４３】
前記装置本体部と蓋部を、略矩形状に形成し、前記蓋部を、前記装置本体部の長辺と略直交する方向にスライド可能に取付けたので、携帯情報端末装置を所謂横長状にして両手で持って、両手の親指でキーボードを操作することが容易になる。
【００４４】
前記装置本体部の第１の主面に設けたキーボードを蓋部で覆って保護する。そして、前記蓋部をスライドさせて、キーボードを露出させることによりその操作が可能になる。
（５）電池収納部および電池誤挿入防止機構の構成、
図２０に示すように、装置本体部２の第２の主面２ｂ側には前記電池収容部６が開口されている。前記電池収容部６は、電池２８と略同形の扁平な四角形状に形成されていて、電池収容部６の底面は、シールド板３１で形成されている。前記電池収容部６の一側部には複数の電池端子８１ａ〜８１ｃが配置されている。図２１に示すように、前記電池端子８１ａ〜８１ｃは、端子ホルダ８２に設けられていて、端子付勢バネ８３によって付勢されて前記電池収容部６内に突出している。そして、前記電池端子８１ａ〜８１ｃは、その先端部を押圧すると、前記端子付勢バネ８３のバネ力に抗して前記電池収納部６から抜け出る方向に移動して、前記電池収納部６内に電池２８を収納可能にする。図２０に示すように、前記電池２８の先端面２８ｄには前記電池端子８１ａ〜８１ｃに接触する端子接触部２８ａ〜２８ｃが設けられている。
【００４５】
前記電池端子８１ａ〜８１ｃの側方（図２０の左横方向）には、前記電池収納部６への電池２８の挿入方法を誤った場合、例えば図２２，図２３に示すように、前記電池２８の端子接触部２８ａ〜２８ｃを設けた電池２８の先端面２８ｄ側を斜め上にして電池２８を電池収納部６へ収納しようとした場合などに前記電池端子８１ａ〜８１ｃを保護し、電池端子８１ａ〜８１ｃが折り曲げられてしまう等のダメージを受けるのを未然に防止する電池誤挿入防止機構９１が設けられている。
【００４６】
図２１に示すように、前記電池誤挿入防止機構９１は、スライド突起９２と、該スライド突起９２をスライド可能に取付けている突起ホルダ９３と、該突起ホルダ９３に設けられていて前記スライド突起９２の先端面９２ａを前記電池収納部６内に突出させている突起付勢バネ９４と、を備えている。また、前記スライド突起９２は、前記電池収納部６へ電池２８が収納されたことを検出する電池ン検出スイッチ９５を操作するスイッチ操作部９６を備えている。
【００４７】
前記スライド突起９２は、前記電池端子８ｃの側方（略真横）に配置されていて、前記電池端子８１ａ〜８１ｃと同様に電池収納部６内に突出していて、先端面９２ａを押圧すると前記電池収納部６から押し出される方向に移動して電池収納部６内への電池２８の収納を可能にし、前記先端面９２ａに連続する周面、例えば上面９２ｂが押圧された場合には前記電池収納部６内に突出した状態を維持して電池２８の電池収納部６内への収納を阻止する。
【００４８】
図２４に示すように、前記電池収納部６の開口端６ａ側に臨む前記スライド突起９２の上面９２ｂは、前記電池端子８１ａ〜８１ｃの前記電池収納部６の開口端６ａ側に臨む端部８１ｄに対して高さ（段差）Ｈだけ前記電池収納部６の開口端６ａ側に位置している。
【００４９】
次に、前記電池誤挿入防止機構９１の作用について説明する。図２５，図２６に示すように、電池２８を斜めにし、端子接触部２８ａ〜２８ｂを設けた電池２８の先端面２８ｄ側を斜め下にした状態で電池収納部６に挿入して、前記電池２８の先端面２８ｄを前記電池端子８１ａ〜８１ｃおよび前記スライド突起９２の先端に当てた状態にすると共に、電池２８の後端面２８ｅの下端２８ｆを前記電池収納部６の開口部の周縁部に設けた傾斜状の電池挿入ガイド面９７に当てる。そして、前記電池２８の後端面２８ｅ側の上面を押圧すれば、図２７に示すように、前記電池２８は、前記電池挿入ガイド面９７によって前記電池端子８１ａ〜８１ｃおよび前記スライド突起９２側に向けてスライドし、最終的に、図２８に示すように、電池２８は、電池収納部６内に収納されると共に、前記電池端子８１ａ〜８１ｃの端子付勢バネ８３のバネ力（反力）および前記スライド突起９２の突起付勢バネ９４のバネ力（反力）によって、電池２８の後端面２８ｅが電池収納部６の一側面６ｂに押し付けられて電池収納部６内に保持された状態になるのである。そして、電池２８が電池収納部６内に収納された状態になると、図２１に示す前記スライド突起９２に設けたスイッチ操作部９６で電池検出スイッチ９５が操作されて、電池２８が電池収納部６へ収納されたことが検出される。なお、上記実施の形態においては、前記スライド突起９２を電池端子８１ａ〜８１ｃの一方の側方（図２４において左方）に配置した場合を示したが、図２９に示すように、前記スライド突起９２を電池端子８１ａ〜８１ｃの他方の側方（右方）に配置しても良い。また、図３０に示すように、電池端子８１ａ〜８１ｃの両側部に、これら電池端子８１ａ〜８１ｃを挟むようにして一対のスライド突起９２を配置してもよい。スライド突起９２で電池端子を両側部から挟んだ状態にすることにより電池端子８１ａ〜８１ｃをより確実に保護することができる。また、図３１に示すように、電池端子８１ａ〜８１ｃの間、例えば電池端子８１ｂと電池端子８１ｃの間にスライド突起９２を配置してもよい。また、上記実施の形態においては、電池端子８１ａ〜８１ｃとスライド突起９２を独立にスライドさせる構成にしたが、電池端子８１ａ〜８１ｃとスライド突起９２を連結して、電池端子８１ａ〜８１ｃとスライド突起９２を連動させる構成にしてもよい。また、図３２に示すように、電池２８の先端面２８ｄで、かつ前記スライド突起９２の先端部が当たる部分に溝９８を設け、電池収納時において、前記溝９８内に前記スライド突起９２の先端部を嵌合させることにより、電池収納部６からの電池２８の脱落を防止する構成にしても良い。この場合に、前記溝９８が深いと電池収納部６から電池２８を取り外すのが困難になることもあるから前記溝９８は、電池収納部６から電池２８を取り外すのが困難にならない程度の深さが良い。
（６）付属機器としてのクレードルの構成、
クレードルは、携帯情報端末装置に付属する拡張機器であり、携帯情報端末装置を載せることによりパーソナルコンピュータと接続したり、携帯情報端末装置を充電したするのに使用される。従来のクレードルは、一般に所謂スタンド式に形成されていて、携帯情報端末装置を立てた状態にして、携帯情報端末装置の下端をクレードルに挿入することにより携帯情報端末装置側のコネクタとクレードル側のコネクタを接続する構成になっている。このような方式のクレードルは、携帯情報端末装置を脱着する際にクレードルに対して携帯情報端末装置が傾くなどして、コネクタがダメージを受け易いという問題点があった。このような問題点を解決し、携帯情報端末装置の脱着を容易かつ安全にできるようにしたのが、以下に説明する第１〜第３実施例の３種類のクレードルである。
【００５０】
図３３，図３４に示す第１実施例のクレードル１０１は、ベースプレート１０２と、該ベースプレート１０２上に位置決めされた状態で設けられたコネクタ１０３と、該コネクタ１０３に対して接近、離間方向にスライド可能な携帯情報端末装置ホルダ１０４と、を備えている。前記携帯情報端末装置ホルダ１０４は、図示を省略したスライド機構によりスライド可能にベースプレート１０２に取付けられている。
【００５１】
前記携帯情報端末装置ホルダ１０４は、底面板１０５の周縁部に側面板１０６を立設することにより携帯情報端末装置１を略水平に寝かした状態で位置決めして収容する携帯情報端末装置収納部１０７を備えている。前記側面板１０６には、前記携帯情報端末装置収納部１０７への携帯情報端末装置１の挿抜を容易にするための第１の切欠部１０８と、前記コネクタ１０３を携帯情報端末装置収納部１０７内に導入するための第２の切欠部１０９が設けられている。
【００５２】
第１実施例のクレードル１０１は、上述のような構成であって、図３４に示すように、前記携帯情報端末装置収納部１０７内に携帯情報端末装置１を収容して携帯情報端末装置ホルダ１０４を前記コネクタ１０３側に向けてスライドさせれば、該コネクタ１０３が前記第２の切欠部１０９から前記携帯情報端末装置収納部１０７内に侵入し、該携帯情報端末装置収納部１０７内に収納されている携帯情報端末装置１のＨＰ／ＭＩＣジャック１３等のコネクタに接続されるのである。
【００５３】
図３５，図３６は第２実施例のクレードル１１１を示す。前記第１実施例のクレードル１０１がコネクタ１０３をベースプレート１０２上に固定し、携帯情報端末装置ホルダ１０４をスライド可能にしたのに対して、第２実施例のクレードル１１１は、第１実施例のクレードル１０１とは逆に、ベースプレート１１２上にコネクタ１１３をスライド可能に取付けた。また、ベースプレート１１２上に直接、側面板１１４を立設することにより携帯情報端末装置ホルダ１１５が形成されている。そして、図３６に示すように、前記携帯情報端末装置ホルダ１１５内に携帯情報端末装置１を収容してコネクタ１１３を前記携帯情報端末装置ホルダ１１５側に向けてスライドさせれば、該コネクタ１１３が前記携帯情報端末装置ホルダ１１５に収納されている携帯情報端末装置１のＨＰ／ＭＩＣジャック１３等のコネクタに接続されるのである。他の構成は第１実施例のクレードル１０１と略同じであるので重複する説明は省略する。
【００５４】
図３７，図３８は第３実施例のクレードル１２１を示す。前記第１，第２実施例のクレードル１０１，１１１が携帯情報端末装置１を略水平に寝かした状態で位置決めするのに対して、第３実施例のクレードル１２１は、携帯情報端末装置１を斜めにして支持する点が異なる。他の構成は、第２実施例のクレードル１１１と略同じであるので重複する説明は省略する。  
【図面の簡単な説明】
【００５５】
【図１】蓋部を閉じた状態の携帯情報端末装置の正面図。
【図２】蓋部を閉じた状態の携帯情報端末装置の背面図。
【図３】蓋部を開いた状態の携帯情報端末装置の正面図。
【図４】蓋部を開いた状態の携帯情報端末装置の背面図。
【図５】電池カバーを取り外した状態の背面図。
【図６】Ａは図１の右側面図、Ｂは図１の左側面図、Ｃは図１の下側面図、Ｄは携帯図１の上側面図。
【図７】携帯情報端末装置の分解斜視図。
【図８】ラン・ＯＮ／ＯＦＦ・スイッチ、電源ＯＮ／ＯＦＦ・スイッチおよび導光管の取付け状態を状態を示す斜視図。
【図９】図８の導光管部分の断面図。
【図１０】スライド機構の分解斜視図。
【図１１】リベットによるレールガイド部の組付け工程を示す断面図。
【図１２】リベットによるレールガイド部の組付け工程を示す断面図。
【図１３】レール部にレールガイド部を組付ける前の状態の斜視図。
【図１４】レール部にレールガイド部を組付けた後の状態の斜視図。
【図１５】第１のストッパがレールガイド部に接触する直前の状態を示す斜視図。
【図１６】レールガイド部を装置本体部に組付けた状態の断面図。
【図１７】スライド機構の作用を示す説明図。
【図１８】スライド機構の作用を示す説明図。
【図１９】スライド機構の作用を示す説明図。
【図２０】電池蓋を取り外した電池収納部および電池の斜視図。
【図２１】電池誤挿入防止機構の斜視図。
【図２２】電池を誤挿入した場合を示す断面図。
【図２３】電池を誤挿入した場合の効果を示す斜視図。
【図２４】電池端子とスライド突起の位置関係を示す説明図。
【図２５】電池収納部への電池の挿入工程を示す断面図。
【図２６】電池収納部への電池の挿入工程を示す断面図。
【図２７】電池収納部への電池の挿入工程を示す断面図。
【図２８】電池収納部への電池の挿入工程を示す断面図。
【図２９】電池誤挿入防止機構の取付け位置の変形例を示す説明図。
【図３０】電池誤挿入防止機構の取付け位置の変形例を示す説明図。
【図３１】電池誤挿入防止機構の取付け位置の変形例を示す説明図。
【図３２】スライド突起の先端部を挿入する溝を設けた電池の斜視図。
【図３３】クレードルの第１の実施例を示す斜視図。
【図３４】携帯情報端末装置を接続した状態の斜視図。
【図３５】クレードルの第２の実施例を示す斜視図。
【図３６】携帯情報端末装置を接続した状態の斜視図。
【図３７】クレードルの第３の実施例を示す斜視図。
【図３８】携帯情報端末装置を接続した状態の斜視図。
【図３９】従来例の側面図。
【図４０】他の従来例の断面図。
【図４１】他の従来例の問題点を示す平面図。
【図４２】他の従来例の問題点を示す平面図。
【符号の説明】
【００５６】
１…携帯情報端末装置、２…装置本体部、２ａ…第１の主面、２ｂ…第２の主面、３…蓋部、４…スライド機構、５…キーボード、６…電池収納部、７…電池蓋、１０…第１の導光管、１２…ＵＳＢ端子、１５…液晶等の表示体、２４…第２の導光管、２６…下側シェル、２７…上側シェル、２８…電池、３２…メインのプリント基板、３４…レールガイド取付け凹部、３５…ＬＥＤ、４４…プリント基板、５１，５２…レール部、５３，５４…レールガイド部、５５…第１のベースプレート、５６…第２のベースプレート、５７…リベット、５８…トグルバネ、６１…被固定部、６２…第１のガイド面、６３…浮上り防止面、６４…第２のガイド面、６５…頭部、６６…小径部、６７…貫通孔、６８…第１のリベット受孔、６９…第２のリベット受孔、７０…リベット回転阻止用の溝、７１…拡径部（カシメ部）、７２…第１のストッパ。
【図１】
2007180667.tif 000003
【図２】
2007180667.tif 000004
【図３】
2007180667.tif 000005
【図４】
2007180667.tif 000006
【図５】
2007180667.tif 000007
【図６】
2007180667.tif 000008
【図７】
2007180667.tif 000009
【図８】
2007180667.tif 000010
【図９】
2007180667.tif 000011
【図１０】
2007180667.tif 000012
【図１１】
2007180667.tif 000013
【図１２】
2007180667.tif 000014
【図１３】
2007180667.tif 000015
【図１４】
2007180667.tif 000016
【図１５】
2007180667.tif 000017
【図１６】
2007180667.tif 000018
【図１７】
2007180667.tif 000019
【図１８】
2007180667.tif 000020
【図１９】
2007180667.tif 000021
【図２０】
2007180667.tif 000022
【図２１】
2007180667.tif 000023
【図２２】
2007180667.tif 000024
【図２３】
2007180667.tif 000025
【図２４】
2007180667.tif 000026
【図２５】
2007180667.tif 000027
【図２６】
2007180667.tif 000028
【図２７】
2007180667.tif 000029
【図２８】
2007180667.tif 000030
【図２９】
2007180667.tif 000031
【図３０】
2007180667.tif 000032
【図３１】
2007180667.tif 000033
【図３２】
2007180667.tif 000034
【図３３】
2007180667.tif 000035
【図３４】
2007180667.tif 000036
【図３５】
2007180667.tif 000037
【図３６】
2007180667.tif 000038
【図３７】
2007180667.tif 000039
【図３８】
2007180667.tif 000040
【図３９】
2007180667.tif 000041
【図４０】
2007180667.tif 000042
【図４１】
2007180667.tif 000043
【図４２】
2007180667.tif 000044